(57)【要約】【課題】単一の防食用電極により水中電動ポンプ等の接水金属部の全ての部位に防食効果を及ぼすことができ、また、防食用電極への異物の絡み付や運転時の振動から防食用電極を保護し得て、防食効果が半永久的で防食用電極の交換を必要とすせず、メンテナンス性に優れた防食用電極の保護構造を提供する。【解決手段】水槽２内に設置される水中電動回転機械１のモータ部より防食配線４ａを導出して防食電源装置５のマイナス側端子に接続し、防食電源装置５のプラス側端子より導下された電極用ケーブル４ｂの先端に不溶性の防食用電極６を接続し、水槽２内と連通するよう立設されたガイドパイプ３内に防食用電極６を収容した態様により、該防食用電極６を水中電動回転機械１と非接触状態に対設させる。【選択図】        図１
2005171310.tif 000002
【特許請求の範囲】
【請求項１】
水中に設置される水中電動回転機械のモータ部より防食配線を導出して防食電源装置のマイナス側端子に接続し、防食電源装置のプラス側端子より導下された電極用ケーブルの先端に不溶性の防食用電極を接続し、水中と連通するよう立設されたガイドパイプ内に防食用電極を収容した態様により、該防食用電極を水中電動回転機械と非接触状態に対設させたことを特徴とする、水中電動回転機械おける防食用電極の保護構造。
【請求項２】
防食用電極の外周には環状のバンパーが嵌着されており、該バンパーを介してガイドパイプ内に防食用電極が支承されるよう構成したことを特徴とする、請求項１記載の水中電動回転機械おける防食用電極の保護構造。
【請求項３】
防食用電極のホルダー部自体がクッション構造に作られていて、該クッション構造によりガイドパイプ内に防食用電極が支承されるよう構成したことを特徴とする、請求項１記載の水中電動回転機械おける防食用電極の保護構造。
【請求項４】
水中に設置される水中電動回転機械のモータ部より防食配線を導出して防食電源装置のマイナス側端子に接続し、防食電源装置のプラス側端子より導下された電極用ケーブルの先端に不溶性の防食用電極を接続し、該防食用電極の下方部から環状のバンパーを抽出可能に嵌着し、水中と連通するよう立設されたガイドパイプ内において前記バンパーを介して防食用電極が支承された態様により、該防食用電極を水中電動回転機械と非接触状態に対設させたことを特徴とする、水中電動回転機械おける防食用電極の保護構造。
【発明の詳細な説明】
【技術分野】
【０００１】
本発明は、水中電動ポンプや曝気・攪拌装置など、水中電動回転機械おける防食用電極の保護構造に関するものである。
【背景技術】
【０００２】
水中電動ポンプ等の接水金属部に腐食が生じることを防止するため、水中電動ポンプ等よりもイオン化傾向の大きい低電位の金属からなる防食部材を犠牲陽極として、要所要所に露出状態で配設して固定状に取付けるという構成は公知である(例えば、特許文献１参照）。このような構成において水中電動ポンプ等と各防食部材との相互間に水中を通じて電気の流れを生じ、各防食部材の水中への溶解により水中ポンプ等の腐食が防止されることになる。しかし水中電動ポンプ等の接水金属部の全ての部位に防食効果をもたらすためには、多数の防食部材を配設しなければならず、構造的に複雑となり設備コストを押し上げる要因となる。また、露出状態で固定されている防食部材に異物が絡み付いたり、運転時の振動発生に伴う共振作用によって破損を生じ、或いは経時的消耗等により防食部材を交換する必要がありメンテナンス性において問題がある。
【特許文献１】特開２０００−３１０１９４号公報（第１図）
【発明の開示】
【発明が解決しようとする課題】
【０００３】
解決しようとする課題は、単一の防食用電極により水中電動ポンプ等の接水金属部の全ての部位に防食効果を及ぼすことができ、また、防食用電極への異物の絡み付や運転時の振動から防食用電極を保護し得て、防食効果が半永久的で防食用電極の交換を必要とすせず、メンテナンス性に優れた防食用電極の保護構造を提供することにある。
【課題を解決するための手段】
【０００４】
本発明では、水中に設置された水中電動回転機械のモータ部より防食配線を導出して防食電源装置のマイナス側端子に接続し、防食電源装置のプラス側端子より導下された電極用ケーブルの先端に不溶性の防食用電極を接続し、水中と連通するよう立設されたガイドパイプ内に防食用電極を収容した態様により、該防食用電極を水中電動回転機械と非接触状態に対設させたことを最も主要な特徴とする。
【発明の効果】
【０００５】
本発明によれば、多数の防食部材（犠牲陽極）を必要とすることなく、単一の不溶性の防食用電極によって水中電動回転機械における接水金属部の全ての部位に防食効果を及ぼすことができるので、構造的に簡潔となりローコストに設備し得るという利点がある。また、防食用電極への異物の絡み付や運転時の振動から防食用電極を保護すことができる。更にまた、本発明によれば、水中電動回転機械における接水金属部が溶出することを防止し得るのみでなく、防食用電極自体も溶出することなく防食効果が得られるので、防食用電極の交換を要することなく半永久的な防食機能を維持することができ、メンテナンス性に優れた防食用電極の保護構造が提供されることになる。
【発明を実施するための最良の形態】
【０００６】
水槽内に設置された水中電動回転機械のモータ部より防食配線を導出して防食電源装置のマイナス側端子に接続し、防食電源装置のプラス側端子より導下された電極用ケーブルの先端に不溶性の防食用電極を接続し、該防食用電極の下部から環状のバンパーを抽出可能に嵌着し、水槽内と連通するよう立設されたガイドパイプ内において前記バンパーを介して防食用電極が支承された態様により、該防食用電極を水中電動回転機械と非接触状態に対設させる。
【実施例１】
【０００７】
図１において、１は水中電動ポンプなどの水中電動回転機械であり、水槽２内に立設されたガイドパイプ３に沿って昇降する着脱式のものが例示されている。４ａは水中電動回転機械１のモータ部より導出されて防食電源装置５のマイナス側端子に接続される防食配線、４ｂは防食電源装置５のプラス側端子より導下された電極用ケーブルであり、該電極用ケーブル４ｂの導下先端部には不溶性の防食用電極６を接続する。そして異物の絡み付を避けるため、該防食用電極６をガイドパイプ３内に収容した態様により水中電動回転機械１と非接触状態に対設させる。ガイドパイプ３には、水槽２内と連通するよう例えば流通孔８が穿設されている。防食用電極６の外周には防振機能を保有させるため、例えば図２に示すよう環状のゴム製バンパー１０を嵌着しておき、該バンパー１０を介してガイドパイプ３内に防食用電極６が支承されるよう構成し、或いは図３に示すよう防食用電極６のホルダー部６Ｈ自体がクッション構造に作られていて、該クッション構造によりガイドパイプ３内に防食用電極が支承されるよう構成する。この構成により、水中電動回転機械１からの振動の影響に伴う共振により防食用電極６が破損することを防止できる。そして必要時には防食用電極６のみを槽上へ引き上げることが可能である。本実施例は、水中電動回転機械１が着脱式であると非着脱式であるとを問わず適用し得るが、着脱式の場合には昇降用のガイドパイプ３がそのまま防食用電極６の保護用として利用され、非着脱式の場合には防食用電極６の保護専用のパイプを立設することになる。本実施例において、水中電動回転機械１の接水金属部における各部材同士が電気的に導通しておれば、単一の防食用電極６によって接水金属部の全ての部位に防食効果が及ぶことになり、且つ、接水金属部の溶出を防止し得るのみでなく防食用電極６自体も溶出することがなく半永久的に防食機能を維持することになる。
【実施例２】
【０００８】
水槽２内に設置される水中電動回転機械１のモータ部より防食配線４ａを導出して防食電源装置５のマイナス側端子に接続し、防食電源装置５のプラス側端子より導下された電極用ケーブル４ｂの先端に不溶性の防食用電極６を接続し、該防食用電極６の下方部から図４に示すよう環状のゴム製バンパー１０を抽出可能に嵌着し、水槽２内と連通するよう立設されたガイドパイプ３内において図５に示すよう前記バンパー１０を介して防食用電極６が支承された態様により、該防食用電極６を水中電動回転機械１と非接触状態に対設させる。バンパー１０と防食用電極６との嵌着面はテーパー状に形成されていることが望ましい。この構成により、水中電動回転機械１からの振動の影響に伴う共振により防食用電極６が破損することを防止できる。そして必要時には防食用電極６のみをガイドパイプ３内から引き上げるのであるが、本実施例によれば、ガイドパイプ３の内壁に錆瘤などの突起が生じている場合でも防食用電極６がバンパー１０から挿脱することで防食用電極６を支承なく引き上げることができる。本実施例は、水中電動回転機械１が着脱式であると非着脱式であるとを問わず適用し得るが、着脱式の場合には昇降用のガイドパイプ３がそのまま防食用電極６の保護用として利用され、非着脱式の場合には防食用電極６の保護専用のパイプを立設することになる。本実施例において、水中電動回転機械１の接水金属部における各部材同士が電気的に導通しておれば、単一の防食用電極６によって接水金属部の全ての部位に防食効果が及ぶことになり、且つ、接水金属部の溶出を防止し得るのみでなく防食用電極６自体も溶出することがなく半永久的に防食機能を維持することになる。
【図面の簡単な説明】
【０００９】
【図１】本発明保護構造を装備した水中電動回転機械の側面図である。
【図２】本発明保護構造における防食用電極の側面図であって、防食用電極の外周に環状のバンパーを嵌着させた事例を示す。
【図３】本発明保護構造における防食用電極の側面図であって、防食用電極のホルダー部自体がクッション構造に作られている事例を示す。
【図４】本発明保護構造における防食用電極の側面図であって、防食用電極の下方部から環状のバンパーを抽出可能に嵌着した事例を示す。
【図５】図４の防食用電極をガイドパイプ内に収容した態様を示す側面図である。
【図６】図５の状態から防食用電極がバンパーから挿脱した態様を示す側面図である。
【符号の説明】
【００１０】
１      水中電動回転機械
３      ガイドパイプ
４ａ    防食配線
４ｂ    電極用ケーブル
５      防食電源装置
６      防食用電極
６Ｈ    防食用電極のホルダー部
１０      バンパー
【図１】
2005171310.tif 000003
【図２】
2005171310.tif 000004
【図３】
2005171310.tif 000005
【図４】
2005171310.tif 000006
【図５】
2005171310.tif 000007
【図６】
2005171310.tif 000008